(57)【特許請求の範囲】
【請求項１】
複数の音声信号入力チャンネルと、前記入力チャンネルを選択するチャンネル選択手段と、該選択された入力チャンネルの音声信号にイコライジング及び音量調整を施す処理部を介してミキシングするミキシング手段と、前記ミキシング手段においてミキシングされた音声信号を出力する出力手段と、複数の音声信号をそれぞれ複数のトラックに録音可能な録音再生手段と、各トラックの音声信号を読み出す読み出し手段と、該読み出された各トラックの音声信号を前記入力チャンネルの各トラックに対応する各入力チャンネルに供給する供給手段とを有するミキシング録音再生装置であって、
ソロモードを指定するためのソロ指定手段と、
前記複数の入力チャンネルのうち前記ソロモード時における入力チャンネルを指定するソロチャンネル指定手段と、
試聴モードを指定するための試聴指定手段と、
前記録音再生手段のトラックを選択するトラック選択手段と、
前記ソロモードが指定された時には、前記チャンネル選択手段により選択された入力チャンネルに代えて前記ソロチャンネル指定手段により指定された入力チャンネルを選択し、前記試聴モードが指定されたときには、前記ミキシング手段においてミキシングされた音声信号に代えて前記トラック選択手段により選択されたトラックの音声信号を直接前記出力手段から出力するように制御する出力制御手段と
を有するミキシング録音再生装置。
【請求項２】
さらに、音声信号を読出す読出し開始位置を指定する読出し開始位置指定手段を有し、
前記読出し手段は、前記読出し開始位置指定手段で指定する位置から読出しを開始する請求項１記載のミキシング録音再生装置。
【請求項３】
さらに、試聴モードに切り替わる直前の読出し位置を記憶する位置記憶手段と、
前記読出し手段は、試聴モードを終了すると前記位置記憶手段が記憶した読出し開始位置から音声信号の読出しを開始する請求項１記載のミキシング録音再生装置。
【請求項４】
複数の音声信号入力チャンネルと、前記入力チャンネルを選択するチャンネル選択手段と、該選択された入力チャンネルの音声信号をイコライジング及び音量調整を施す処理部を介してミキシングするミキシング手段と、前記ミキシング手段においてミキシングされた音声信号を出力する出力手段と、複数の音声信号をそれぞれ複数のトラックに録音可能な録音再生手段と、各トラックの音声信号を読み出す読み出し手段と、該読み出された各トラックの音声信号を前記入力チャンネルの各トラックに対応する各入力チャンネルに供給する供給手段とを有するミキシング録音再生装置におけるミキシング再生方法であって、
ソロモードを指定するためのソロ指定工程と、
前記複数の入力チャンネルのうち前記ソロモード時における入力チャンネルを指定するソロチャンネル指定工程と、
試聴モードを指定するための試聴指定工程と、
前記録音再生手段のトラックを選択するトラック選択工程と、
前記ソロモードが指定された時には、前記チャンネル選択手段により選択された入力チャンネルに代えて前記ソロチャンネル指定工程により指定された入力チャンネルを選択し、前記試聴モードが指定されたときには、前記ミキシング手段においてミキシングされた音声信号に代えて前記トラック選択工程により選択されたトラックの音声信号を直接前記出力手段から出力するように制御する出力制御工程と
を有するミキシング再生方法。
【請求項５】
複数の音声信号入力チャンネルと、前記入力チャンネルを選択するチャンネル選択手段と、該選択された入力チャンネルの音声信号をイコライジング及び音量調整を施す処理部を介してミキシングするミキシング手段と、前記ミキシング手段においてミキシングされた音声信号を出力する出力手段と、複数の音声信号をそれぞれ複数のトラックに録音可能な録音再生手段と、各トラックの音声信号を読み出す読み出し手段と、該読み出された各トラックの音声信号を前記入力チャンネルの各トラックに対応する各入力チャンネルに供給する供給手段とを有するミキシング録音再生装置におけるミキシング再生手順をコンピュータに実行させるためのプログラムであって、
ソロモードを指定するためのソロ指定手順と、
前記複数の入力チャンネルのうち前記ソロモード時における入力チャンネルを指定するソロチャンネル指定手順と、
試聴モードを指定するための試聴指定手順と、
前記録音再生手段のトラックを選択するトラック選択手順と、
前記ソロモードが指定された時には、前記チャンネル選択手段により選択された入力チャンネルに代えて前記ソロチャンネル指定手順により指定された入力チャンネルを選択し、前記試聴モードが指定されたときには、前記ミキシング手段においてミキシングされた音声信号に代えて前記トラック選択手順により選択されたトラックの音声信号を直接前記出力手段から出力するように制御する出力制御手順と
を有するミキシング再生手順をコンピュータに実行させるためのプログラムを記録した媒体。
【発明の詳細な説明】
【０００１】
【発明の属する技術分野】
本発明は、複数の電子楽器やオーディオ機器が出力する音声信号をミキシングするミキシング装置に関し、より詳しくは、録音再生機能を備えたミキシング装置に関する。
【０００２】
【従来の技術】
近年、電子楽器や、マイク等から入力されるアナログ又はデジタルの音声信号をデジタルでミキシングするデジタルミキサーと、ハードディスクドライブ（ＨＤＤ）を記録媒体とした複数チャンネルを同時に複数のトラックに録音することが出来るＨＤレコーダを一体化したミキシング記録再生装置が提案されている。
【０００３】
デジタルミキサーは、複数チャンネルで入力される音声信号を各チャンネル毎に、適宜イコライジング、音量調節、効果付与等の処理を行い、その後、複数チャンネルをミキシングして、出力することが出来る。
【０００４】
ＨＤレコーダは、複数のトラックを有し、複数の音声信号を入力して、各トラックに録音すると同時に、予め録音した複数の音声信号を再生して所定の出力先に出力する事が出来る。
【０００５】
従来のミキシング記録再生装置においては、ＨＤレコーダの再生出力は、デジタルミキサーの入力信号として扱うことが出来ると共に、デジタルミキサーの出力をＨＤレコーダの入力とすることも出来る。
【０００６】
【発明が解決しようとする課題】
従来のミキシング記録再生装置において、ＨＤレコーダの任意の１トラックに録音された音声信号を試聴する場合は、まず、その試聴したいトラックをデジタルミキサーの１チャンネル（ｃｈ）に割り当てる必要がある。そして、デジタルミキサーに備えられているＳＯＬＯ機能（任意のチャンネル試聴機能）を用いて試聴することになる。
【０００７】
ＳＯＬＯ機能は、ミキシング中などに、他チャンネルのフェーダーを下げずに、任意のチャンネルだけを聞くことができる機能である。また、本線の状態を維持しつつ、ヘッドフォンやモニタースピーカーのみから任意のチャンネルの音を出力する機能のことである。
【０００８】
ＳＯＬＯ機能には、最後に選択したチャンネルのみをモニタリングできる「ＬＡＳＴ  ＳＯＬＯ」や選択したチャンネルを加算合成する「ＭＩＸ  ＳＯＬＯ」などがある。
【０００９】
このＳＯＬＯ機能を使用する場合、音声信号は、デジタルミキサーにおいて、イコライジング、効果付与、音量調節等の各種処理が行われた後に、ソロバスに出力される。そのため、イコライジング、効果付与、音量調節等の各種処理が行われていない（生の状態）の音声信号を試聴するには、いちいちイコライジング、効果付与、音量調節等の設定をキャンセルする必要がある。
【００１０】
また、従来のミキシング記録再生装置では、上述のＳＯＬＯ機能を用いて試聴した後に、試聴を開始した操作位置に戻る場合は、ユーザが、操作位置を探して手動で戻す必要があった。
【００１１】
本発明の目的は、簡単な操作で各種処理が行われていない生の音声信号を試聴することができるミキシング記録再生装置を提供することである。
【００１２】
また、本発明の他の目的は、試聴終了後に試聴開始位置に簡単に戻ることが出来るミキシング記録再生装置を提供することである。
【００１３】
【課題を解決するための手段】
本発明の一観点によれば、複数の音声信号入力チャンネルと、前記入力チャンネルを選択するチャンネル選択手段と、該選択された入力チャンネルの音声信号をイコライジング及び音量調整を施す処理部を介してミキシングするミキシング手段と、前記ミキシング手段においてミキシングされた音声信号を出力する出力手段と、複数の音声信号をそれぞれ複数のトラックに録音可能な録音再生手段と、各トラックの音声信号を読み出す読み出し手段と、該読み出された各トラックの音声信号を前記入力チャンネルの各トラックに対応する各入力チャンネルに供給する供給手段とを有するミキシング録音再生装置は、ソロモードを指定するためのソロ指定手段と、前記複数の入力チャンネルのうち前記ソロモード時における入力チャンネルを指定するソロチャンネル指定手段と、試聴モードを指定するための試聴指定手段と、前記録音再生手段のトラックを選択するトラック選択手段と、前記ソロモードが指定された時には、前記チャンネル選択手段により選択された入力チャンネルに代えて前記ソロチャンネル指定手段により指定された入力チャンネルを選択し、前記試聴モードが指定されたときには、前記ミキシング手段においてミキシングされた音声信号に代えて前記トラック選択手段により選択されたトラックの音声信号を直接前記出力手段から出力するように制御する出力制御手段とを有する。
【００１４】
【発明の実施の形態】
図１は、本発明の実施例によるミキシング再生装置１の基本構成を表すブロック図である。
【００１５】
バス１１には、検出回路１２、表示回路１３、ＲＡＭ１４、ＲＯＭ１５、ＣＰＵ１６、外部記憶装置１７、ＩＮ／ＯＵＴ（Ｉ／Ｏ）インターフェイス１８、タイマ５６、音源回路１９、ハードディスクレコーダ（ＨＤレコーダ）２０、転送回路２１、デジタルサウンドプロセッサ（ＤＳＰ）２５が接続される。
【００１６】
ユーザは、検出回路１２に接続される複数の操作子（入力手段）２２を用いて、イコライジング、効果付与の設定、音量調節、ミキシング処理の設定、各種パラメータ、プリセットの入力及び選択等をすることができる。操作子２２は、例えば、ジョグシャトル、ロータリーエンコーダ、フェーダー、スライダ、マウス、キーボード、鍵盤、ジョイスティック、スイッチ等、ユーザの入力に応じた信号を出力できるものならどのようなものでもよい。また、本実施例では、複数の入力手段が接続されている。
【００１７】
表示回路１３は、ディスプレイ２３に接続され、チャンネルの割当て、各チャンネル毎のイコライジング、効果付与の設定、音量調節等の各種情報をディスプレイ２３に表示することができる。ディスプレイ２３は、液晶表示装置（ＬＣＤ）、発光ダイオード（ＬＥＤ）等で構成されるが、各種情報を表示できるものならばどのようなものでもよい。また、本実施例では、図３を用いて後述するようにミキシング処理用のＬＣＤディスプレイ２３ａとＨＤＤレコーダ用のＦＬディスプレイ２３ｂの２つのディスプレイが接続されている。
【００１８】
ＲＡＭ１４は、フラグ、レジスタ又はバッファ、各種データ等を記憶するＣＰＵ１６用のワーキングエリアを有する。
【００１９】
ＲＯＭ１５には、プリセットデータ、各種パラメータ及び制御プログラム等を記憶することができる。この場合、プログラム等を重ねて、外部記憶装置１７に記憶する必要は無い。ＣＰＵ１６は、ＲＯＭ１５又は、外部記憶装置１７に記憶されている制御プログラム等に従い、演算又は制御を行う。
【００２０】
タイマ５６は、ＣＰＵ１６及バス１１に接続されており、基本クロック信号、割り込み処理タイミング等をＣＰＵ１６に指示する。
【００２１】
外部記憶装置１７は、外部記憶装置用のインターフェイスを含み、そのインターフェイスを介してバス１１に接続される。外部記憶装置１７は、例えば、ＣＤ−ＲＷドライブ、フラッシュメモリなどの半導体メモリ、フロッピディスクドライブ（ＦＤＤ）、ハードディスクドライブ（ＨＤＤ）、光磁気ディスク（ＭＯ）ドライブ、ＣＤ−ＲＯＭ（コンパクトディスク−リードオンリィメモリ）ドライブ、ＤＶＤ（Ｄｉｇｉｔａｌ  Ｖｅｒｓａｔｉｌｅ  Ｄｉｓｃ）ドライブ等である。なお、この外部記憶装置１７は省略することも出来る。
【００２２】
本実施例では、外部記憶装置１７として、ＣＤ−ＲＷドライブが接続されている。ＣＤ−ＲＷドライブには、各種情報を保存することができる。また、ＣＤ−ＲＷドライブを用いることにより、ユーザは、ＨＤレコーダ２０に録音された複数トラックの音声信号をトラックダウンして、通常のステレオデジタル音声信号として、音楽ＣＤを作成することも出来る。
【００２３】
Ｉ／Ｏインターフェイス１８は、電子楽器、他の音響機器、コンピュータ、増設ＨＤＤ等に接続できるものである。この場合、通信インターフェイス１８は、ＭＩＤＩインターフェイス、ＳＣＳＩ（ＳＭＡＬＬ  ＣＯＭＰＵＴＥＲ  ＳＹＳＴＥＭ  ＩＮＴＥＲＦＡＣＥ）、ＲＳ−２３２Ｃ、ＵＳＢ（ユニバーサル・シリアル・バス）、ＩＥＥＥ１３９４（アイトリプルイー１３９４）等の汎用のインターフェイスを用いて構成する。なお、本実施例は、複数のＩ／Ｏインターフェイス１８を有する。
【００２４】
音源回路１９は、供給されるＭＩＤＩ信号等に応じて音声信号を生成し、バス１１を介してＤＳＰ２５等に供給する。
【００２５】
音源回路１９は、波形メモリ方式、ＦＭ方式、物理モデル方式、高調波合成方式、フォルマント合成方式、ＶＣＯ（Ｖｏｌｔａｇｅ  Ｃｏｎｔｒｏｌｌｅｄ  Ｏｓｃｉｌｌａｔｏｒ）＋ＶＣＦ（Ｖｏｌｔａｇｅ  Ｃｏｎｔｒｏｌｌｅｄ  Ｆｉｌｔｅｒ）＋ＶＣＡ（Ｖｏｌｔａｇｅ  Ｃｏｎｔｒｏｌｌｅｄ  Ａｍｐｌｉｆｉｅｒ）のアナログシンセサイザ方式等、どのような方式を用いたものであってもよい。
【００２６】
また、音源回路１９は、専用のハードウェアを用いて構成するものに限らず、ＤＳＰ（Ｄｅｇｉｔａｌ  Ｓｉｇｎａｌ  Ｐｒｏｃｅｓｓｏｒ）＋マイクロプログラムを用いて構成してもよいし、ＣＰＵ＋ソフトウェアのプログラムで構成するようにしてもよいし、サウンドカードのようなものでもよい。
【００２７】
さらに、１つの音源回路を時分割で使用することにより複数の発音チャンネルを形成するようにしてもよいし、複数の音源回路を用い、１つの発音チャンネルにつき１つの音源回路で複数の発音チャンネルを構成するようにしてもよい。
【００２８】
ＨＤレコーダ２０は、ハードディスクドライブ（ＨＤＤ）で構成され、例えば、デジタル形式の音声信号を１６ｂｉｔ（又は２４ｂｉｔ）、４４．１ｋＨｚ（又は４８ｋＨｚ）のレゾリューションで複数のトラック（本実施例では１６トラック）の個別録音若しくは同時録音が可能な録音装置である。
【００２９】
転送回路２１は、バッファメモリ２４が接続され、ＣＰＵ１６の指示に従い、ＨＤレコーダ２０とバッファメモリ２４間のデータ（音声信号）転送と、ＤＳＰ２５とバッファメモリ２４間のデータ（音声信号）転送を行う。
【００３０】
例えば、転送回路２１は、上述のＨＤレコーダ２０の任意の１トラックに録音する場合、所定のサンプリング周期ごと（例えば４４．１ｋＨｚ）にＤＳＰ２５から１サンプルのデジタルデータ（音声信号）を受取り、バッファメモリ２４に書き込む。転送回路２１は、このバッファメモリ２４への書き込みを繰り返して、バッファメモリ２４に１クラスタ分のメモリがたまったらそれをＨＤレコーダ２０の当該トラック記憶領域に順次書き込む。転送回路２１は、ＨＤレコーダ２０への書き込み中もバッファメモリ２４へのＤＳＰ２５からのデータ読み出しは続ける。以上の動作を続けることにより録音を行う。
【００３１】
また、例えば、転送回路２１は、上述のＨＤレコーダ２０の任意の１トラックを再生する場合、まず、ＨＤレコーダ２０の当該トラック記憶領域の先頭の２クラスタ分のデータをバッファメモリ２４に読み出す。その後、転送回路２１は、所定のサンプリング周期ごとにＤＳＰ２５に１サンプルのデジタルデータを渡す。さらに、バッファメモリ２４に１クラスタ分の空き領域が生じるたびに、ＨＤレコーダ２０の当該トラック記憶領域から順次後続の１クラスタ分のデータを読み出すことにより再生が行われる。
【００３２】
ＤＳＰ２５は、複数の入力端子２６及び転送回路２１を介してＨＤレコーダ２０から入力されるデジタル形式の音声信号に、ミキシング処理を含む各種処理を施し複数の出力端子２７にデジタル形式の音声信号を出力する。さらに、入力及び出力端子数を増やすための拡張スロット２８が接続されている。拡張スロット２８には、入出力端子増設用の、拡張カード２９を挿入することが出来る。
【００３３】
なお、入力端子２６は、アナログ形式の音声信号をデジタル形式に変換するＡＤコンバータ（ＡＤＣ）を有し、出力端子２７は、デジタル形式の音声信号をアナログ形式に変換するＤＡコンバータ（ＤＡＣ）を有する。また、拡張カード２９はＡＤコンバータ、ＤＡコンバータの双方を有する。
【００３４】
図２は、図１のＤＳＰ２５の機能を示すブロック図である。なお、図１と同様の構成には同じ参照番号を附す。ＤＳＰ２５は、入力パッチ２５１、２ｃｈのエフェクトリターン入力２５２ａ、２４ｃｈのミキサー入力２５２ｂ、１６ｃｈのレコーダ入力２５２ｃ、８チャンネル（ｃｈ）のバスＢ１〜Ｂ８、左右２ｃｈのステレオバスＳＴ、左右２ｃｈのソロバスＳＬ、８ｃｈのＡＵＸバスＡＸ１〜８、出力パッチ２５４、録音セレクタ２５５、出力セレクタ２５６で構成される。
【００３５】
入力パッチ２５１は、入力ＡＤ２６ａ、入力ＥＦ２６ｂ、入力ＳＬｉｎ２９ａ等から入力される複数の音声信号のそれぞれをエフェクトリターン入力２５２ａの２ｃｈ、及びミキサー入力２５２ｂの２４ｃｈのうちいずれかの入力チャンネルに割り当てる。
【００３６】
入力ＡＤ２６ａは、１〜８ｃｈのアナログ音声入力をＡＤＣを介して入力するものであり、入力ＥＦ２６ｂはＡＵＸバスＡＸ７、８を介してエフェクタで効果付与された音声信号を入力するものである。入力ＳＬｉｎ２９ａは、図１の拡張スロット２８に挿入される拡張カード２９からのデジタル又はアナログの音声入力である。この他に、図１の音源回路１９からの入力や、デジタル音声入力を可能にしてもよい。
【００３７】
エフェクトリターン入力２５２ａは、入力される音声信号にイコライジング、音量調整等の各種処理を施した後、処理をした音声信号をバスＢ１〜Ｂ８、ステレオバスＳＴ、ソロバスＳＬ、ＡＵＸバスＡＸ１〜８の内ユーザが選択するバスに出力する。
【００３８】
ミキサー入力２５２ｂは、それぞれのチャンネルに入力される音声信号にイコライジング、音量調整等の各種処理を施した後、処理をした音声信号をバスＢ１〜Ｂ８、ステレオバスＳＴ、ソロバスＳＬ、ＡＵＸバスＡＸ１〜８の内ユーザが選択するバスに出力するか、又は直接、出力パッチ２５４、録音セレクタ２５５に出力する。
【００３９】
レコーダ入力２５２ｃは、ＨＤレコーダ２０の１６トラック分の音声信号をそれぞれ対応する１〜１６のチャンネルに割り当てて、各チャンネルに入力される音声信号にイコライジング、音量調整等の各種処理を施した後、処理をした音声信号をバスＢ１〜Ｂ８、ステレオバスＳＴ、ソロバスＳＬ、ＡＵＸバスＡＸ１〜８の内ユーザが選択するバスに出力する。
【００４０】
ＨＤレコーダ２０は、後述するようにレコーダ入力２５２ｃに音声信号を出力する代わりに、図中ｄｉｒｅｃｔ  ｏｕｔの矢印が示すように直接、出力セレクタ２５６に出力することが出来る。
【００４１】
このようにＨＤレコーダ２０から出力セレクタ２５６に音声信号を直接出力すると、バスＢ１〜Ｂ８、ステレオバスＳＴ、ソロバスＳＬ、ＡＵＸバスＡＸ１〜８を経由しないので、各種処理が行われていない生の音声信号を試聴することができる。
【００４２】
バスＢ１〜８は、それぞれのバスに入力される音声信号をミキシングして出力パッチ２５４、録音セレクタ２５５に出力する。
【００４３】
ステレオバスＳＴは、エフェクトリターン入力２５２ａ、ミキサー入力２５２ｂ、レコーダ入力２５２ｃから入力される左チャンネル用（Ｌｃｈ）及び右チャンネル用（Ｒｃｈ）の音声信号をそれぞれミキシングして、ステレオ音声として、出力パッチ２５４、録音セレクタ２５５及び出力セレクタ２５６に出力する。
【００４４】
ソロバスＳＬは、エフェクトリターン入力２５２ａ、ミキサー入力２５２ｂ、レコーダ入力２５２ｃから入力される左チャンネル用（Ｌｃｈ）及び右チャンネル用（Ｒｃｈ）の音声信号をそれぞれミキシングして、ステレオ音声として、出力パッチ２５４、出力セレクタ２５６に出力する。
【００４５】
ＡＵＸバスＡＸ１〜ＡＸ８は、エフェクトリターン入力２５２ａ、ミキサー入力２５２ｂ、レコーダ入力２５２ｃから入力される８ｃｈの音声信号をそれぞれミキシングして、出力パッチ２５４に出力する。ＡＵＸバスＡＸ７及びＡＸ８は、エフェクトセンドチャンネルとして使用することが出来、入力ＥＦ２６ｂに対して音声信号を出力することが出来る。
【００４６】
出力パッチ２５４は、バスＢ１〜Ｂ８、ステレオバスＳＴ、ソロバスＳＬ、ＡＵＸバスＡＸ１〜８から入力される音声信号をステレオアナログ音声出力２７ａ、ステレオデジタル音声出力２７ｂ、出力ＳＬｏｕｔ２９ｂ、及びＯＭＮＩ出力２７ｃのうちいずれかの出力に割り当てる。
【００４７】
出力ＳＬｏｕｔ２９ｂは、図１の拡張スロット２８に挿入される拡張カード２９からのデジタル又はアナログの音声出力である。ＯＭＮＩ出力２７ｃは、４系等のアナログ音声を出力することの出来るＤＡＣを含む出力端子である。
【００４８】
録音セレクタ２５５は、バスＢ１〜Ｂ８、ステレオバスＳＴ、及びミキサー入力２５２ｂからのモノラル又はステレオ音声出力をＨＤレコーダ２０の各トラックに割り当てることができる。
【００４９】
出力セレクタ２５６は、ステレオバスＳＴ、ソロバスＳＬからのステレオ音声出力をヘッドフォン出力端子２７ｄ又はモニター出力端子２７ｃに出力する。
【００５０】
図３は、図１に示すミキシング再生録音装置のフロントパネル２の例を示す概観図である。フロントパネル２には、各種ディスプレイ及び操作子が設けられている。
【００５１】
ＬＣＤディスプレイ２３ａは、ＧＵＩ（グラフィカルユーザーインターフェイス）を用いて入力音声信号の各ミキサーチャンネルの割当て、及び出力バスの割当て等を行うためのディスプレイである。この他にも、音声信号への効果付与の設定等各種設定作業のためにもＬＣＤディスプレイ２３ａを用いる事ができる。ＧＵＩの操作は、ジョグシャトル４６、カーソルキー４７等の操作子を用いて行う。
【００５２】
ＦＬディスプレイ２３ｂは、ＨＤレコーダ２０（図１）の各トラックのモニターレベル、ステレオ・バス・レベル・メーター、タイムカウンター等の情報を表示する。図４に示すようにＦＬディスプレイ２３ｂの下方には、ＣＵＥスイッチ３６及び複数のトラック選択スイッチ３７（トラック１〜１６及びステレオトラック）が配置されている。
【００５３】
ＣＵＥスイッチ３６は、後述するように試聴モードに切り替えるためのスイッチであり、トラック選択スイッチ３７は、試聴モードにおいて試聴するトラックを選択するため等に使用するスイッチである。
【００５４】
ＳＯＬＯスイッチ３１は、後述するようにＳＯＬＯモードのオン／オフを切り替えるスイッチであり、チャンネル選択スイッチ３２は、ミキサーチャンネルを選択するため等に用いられるスイッチであり、選択されたチャンネルの情報がＬＣＤディスプレイ２３ａ上に表示され、選択されたチャンネルの音声信号に対して各種設定が行えるようになる。ＯＮキー４２は、ミキサー入力の各チャンネルのオン／オフを切り替えることができる。また、ＳＯＬＯモードのときには、ＯＮキー４２は、ミキサーチャンネルやＨＤレコーダ２０のトラックを選択するため等に用いられる。
【００５５】
ＰＡＮエンコーダ４３は、チャンネル選択スイッチ３２で選択されたチャンネルのＰＡＮ設定をするためのロータリーエンコーダであり。フェーダー４４は、各チャンネルの音量を設定する。
【００５６】
ナンバー・ロケート・キー４５は、試聴開始位置等を数値入力する場合に操作される。ユーザは、このナンバー・ロケート・キー４５を操作した後、ジョグシャトル４６及びカーソルキー４７等を操作して、試聴開始位置を決定する。
【００５７】
再生キー４８は、ＨＤレコーダ２０に録音されている音声信号の再生指示を出す操作子であり、停止キー４９は、音声信号の再生を停止するためのキーである。
【００５８】
図５は、本実施例によるミキシング録音再生装置１の基本機能を説明するための概略ブロック図である。ミキシング録音再生装置１は、少なくとも、ＲＡＭ１４、録音再生部（ＨＤレコーダ）２０、読出し部２１、読出し制御部３０、位置指定部５２、ＤＳＰ２５、ＳＯＬＯスイッチ３１、ＳＯＬＯ選択スイッチ（ＯＮスイッチ）４２、ＣＵＥスイッチ３６、トラック選択スイッチ３７で構成される。説明の便宜上、その他の構成については省略する。
【００５９】
図５（Ａ）は、試聴モードでない場合の結線状態を表すブロック図である。
【００６０】
試聴モードでない場合、読出し部２１は、読出し制御部３０の指示により、録音再生部（ＨＤレコーダ）２０のトラックから音声信号を読み出す。
【００６１】
読み出された音声信号は、ディレクト・アウト用分岐ＲＤＯで分岐して処理部３３に入力される。処理部３３に入力された音声信号は、適宜イコライジング、音量調節、効果付与等の処理を施された後、ミキシングされて出力部３５に出力される。
【００６２】
試聴モードでない場合には、ＳＯＬＯスイッチ３１を押すことにより、ＳＯＬＯモードのオン／オフを切り替えることができる。ＳＯＬＯモードになると、ＳＯＬＯ選択スイッチ４２は、読出し部２１から読み出される音声信号の出力のオン／オフを切り替える。
【００６３】
ＳＯＬＯモードにあるときは、選択されたトラック以外の出力部３５への出力をオフにすることで、選択されたトラックのみをモニターできるようにする。
【００６４】
ＳＯＬＯモードは、１つのトラック又は複数のトラックを選択して発音させるものであるが、後述の試聴モードと異なり処理部３３で各種効果を付与された後の音声信号が発音される。このため、ＳＯＬＯモードの配線に切り替えるスイッチは、処理部３３に含まれる。
【００６５】
図５（Ｂ）は、試聴モードにあるときの結線状態を表すブロック図である。ユーザが、ＣＵＥスイッチ３６を押すと、ＤＯスイッチ３４が切り替わり図５（Ａ）の状態から図５（Ｂ）の状態に切り替わる。
【００６６】
その後ユーザは、トラック選択スイッチ３７により試聴したいトラックを選択する。試聴するトラックは、ひとつであってもよいし、複数であってもよい。
【００６７】
ユーザは、トラックを選択した後、位置指定部５２を操作することにより読出し部２１が読出しを開始する（試聴を開始する）トラック上の位置を指定することも出来る。既に音声信号が再生中であった場合に、開始位置の指定がなければ、そのままの位置から試聴が開始される。音声信号の再生中でない場合には、開始位置の指定がなければ、選択されたトラックの先頭位置から試聴が開始される。
【００６８】
ＣＵＥスイッチ３６、トラック選択スイッチ３７及び位置指定部５２が操作されると、後に図９を用いて説明するようにＲＡＭ１４のレジスタ領域Ｒ１（図１０）のレジスタＡ〜Ｃに読み出し開始位置、選択トラック等が記録される。
【００６９】
読出し制御部３０は、上記ＣＵＥスイッチ３６、トラック選択スイッチ３７及び位置指定部５２の操作により入力された情報に基づき、読出し部２１に音声信号を読み出すトラック及び読出し開始位置を指示する。
【００７０】
読出し部２１は、読出し制御部３０の指示に従い、録音再生部２０から音声信号を読み出す。録音再生部２０から読み出された音声信号はディレクト・アウト用分岐ＲＤＯで分岐して、図中ｄｉｒｅｃｔ  ｏｕｔと記された線を通り直接出力部３５に入力される。
【００７１】
このように、ＤＯスイッチ３４を切り替えることにより、録音再生部２０からの音声信号を処理部３３を介さずして出力することが出来る。すなわち、ユーザは、音量調整や、その他各種効果の付与されていない音声信号を視聴することが可能になる。
【００７２】
また、トラック選択スイッチ３７により選択したトラックを試聴することが出来るので、録音再生部（ＨＤレコーダ）２０のトラックをミキサー入力チャンネル又はレコーダ入力チャンネルに割り当てなくても試聴することが出来る。
【００７３】
図６は、図２のミキサー入力２５２ｂ、バスＢ１〜Ｂ８、ステレオバスＳＴ、ソロバスＳＬ、ＡＵＸバスＡＸ１〜８等の結線図である。図６の結線図は図５の処理部３３に対応している。処理部３３に入力される音声信号は各種信号処理をされた後いずれかのバスに出力される。
【００７４】
図７は、図２のバスＢ１〜Ｂ８、ステレオバスＳＴ、ソロバスＳＬ、ＡＵＸバスＡＸ１〜８等の結線図である。図中破線で囲まれＲＥＣＯＤＥＲ  ＤＩＲＥＣＴ  ＯＵＴと記された分岐ＲＤＯは、図５のディレクト・アウト用分岐ＲＤＯに対応し、破線で囲まれた回路３３は、図５の処理部３３に対応している。すなわち、ＨＤレコーダ２０からの入力は、処理部３３で、各種処理を施される前にＲＥＣＯＤＥＲ  ＤＩＲＥＣＴ  ＯＵＴとして、分岐ＲＤＯで分岐していることがわかる。
【００７５】
図８は、図２のエフェクトリターン入力２５２ａ、ソロバスＳＬ、出力セレクタ２５６等の結線図である。破線で囲まれた分岐ＲＤＯは図７の分岐ＲＤＯとつながっている。すなわち、図７の分岐ＲＤＯで分岐させられた音声信号は、図８の分岐ＲＤＯに入力される。スイッチ３４は、図５のディレクト・アウト・スイッチ３４に対応しており、これを切り替えることにより試聴モードにすることが出来る。
【００７６】
図中右端の矢印３５で示す部分は図５の出力部３５及び図２のヘッドフォン出力端子２７ｄ及びモニター出力端子２７ｃに対応し、中央及び左側の矢印３３で示す部分は、図５の処理部３３に対応している。
【００７７】
図９は、図１のＣＰＵ１６が行う試聴モード処理を表すフローチャートである。以下、図１及び図５を参照しつつ説明する。
【００７８】
ステップＳＡ１では、試聴モード処理をスタートし、次のステップＳＡ２に進む。
【００７９】
ステップＳＡ２では、ＣＵＥスイッチ３６が押されたか否かが判断される。ＣＵＥスイッチ３６が押されたらＹＥＳの矢印で示すステップＳＡ４に進む、押されなければＮＯの矢印で示すステップＳＡ３に進む。
【００８０】
ステップＳＡ３では、現在既に試聴モードであるか否かが判断される。既に試聴モードであるときはＹＥＳの矢印で示すステップＳＡ１１に進む。現在試聴モードでないときは、ＮＯの矢印で示すステップＳＡ２に戻る。
【００８１】
ステップＳＡ４では、現在既に試聴モードであるか否かが判断される。既に試聴モードであるときはＹＥＳの矢印で示す試聴モードを解除するためのステップＳＡ５に進む。現在試聴モードでないときは、ＮＯの矢印で示すステップＳＡ８に進む。
【００８２】
ステップＳＡ５では、試聴モードを解除するために、ＲＡＭ１４（図１０）上のレジスタＡに記憶されている試聴モード開始時の操作位置に復帰する。すなわち、後述のステップＳＡ８で記憶するタイムコードを読出してＨＤレコーダ２０上のそのタイムコードがあらわす音声信号の位置に移動するということである。その後、次のステップＳＡ６に進む。
【００８３】
ステップＳＡ６では、ディレクト・アウト（ＤＯ）スイッチ３４を切り替えてＨＤレコーダ２０からの出力をＤＳＰ２５経由のもの（図５（Ａ）の状態）に切り替える。この切替え操作により試聴モードを解除する。その後、次のステップＳＡ７に進み、ステップＳＡ１に戻る。
【００８４】
ステップＳＡ８では、レジスタＡ及びレジスタＣに現在（ＣＵＥスイッチ３６が押された時点の）の操作位置を表すタイムコードを記録する。その後、次のステップＳＡ９に進む。
【００８５】
このように、レジスタにＣＵＥスイッチ３６が押された時点の位置を記録することにより、試聴モードを解除した後、簡単に試聴モードに入る前の位置に戻ることが出来る。
【００８６】
ステップＳＡ９では、ＨＤレコーダ２０の全てのトラックをミュートする。その後、次のステップＳＡ１０に進む。
【００８７】
ステップＳＡ１０では、ＤＯスイッチ３４を切り替えてＨＤレコーダ２０からの出力を直接出力（図５（Ｂ）の状態）に切り替える。この切替えにより以下、試聴モードであると判断される。その後、次のステップＳＡ１１に進む。
【００８８】
ステップＳＡ１１では、トラック選択スイッチ３７が押されたか否かが判断される。トラック選択スイッチ３７が押されたらＹＥＳの矢印で示す次のステップＳＡ１２に進む、押されなければＮＯの矢印で示すステップＳＡ１３に進む。
【００８９】
ステップＳＡ１２では、図１０のレジスタＢにステップＳＡ１１で選択されたトラックの情報（トラックを識別するための識別子等）を記録する。その後、次のステップＳＡ１３に進む。なお、ＣＵＥスイッチ３６の操作がＨＤレコーダ２０の通常再生中に行われた場合は、選択トラックを記録後、当該トラックの再生を直ぐにはじめるようにしてもよい。
【００９０】
なお、上記ステップＳＡ１１で複数のトラックを選択できるようにしてもよい。その場合には、ステップＳＡ１２でレジスタに複数のトラック情報を記録する。
【００９１】
ステップＳＡ１３では、試聴開始位置の指定が行われたか否かが判断される。試聴開始位置が指定されたらＹＥＳの矢印で示す次のステップＳＡ１４に進む、指定されなければＮＯの矢印で示すステップＳＡ１５に進む。
【００９２】
ステップＳＡ１４では、図１０のレジスタＣにステップＳＡ１３で指定された指定開始位置を記録する。その際既に、開始位置を表すタイムコードが記録されているときは、以前の記録を上書きする。その後、次のステップＳＡ１５に進む。
【００９３】
ステップＳＡ１５では、再生キー４８又は停止キー４９等の操作が行われたか否かが判断される。再生キー４８の操作が行われたらＰＬＡＹの矢印で示す次のステップＳＡ１６に進み、停止キー４９の操作が行われたらＳＴＯＰの矢印で示すステップＳＡ１８に進む。これらの操作が行われなければＮＯの矢印で示すステップＳＡ１７に進む。
【００９４】
ステップＳＡ１６では、ＨＤレコーダ２０中のレジスタＢに記録されたトラックから音声信号を読出して再生する。この際音声信号は、レジスタＣに記録された開始位置から読み出される。その後、次のステップＳＡ１７に進む。
【００９５】
ステップＳＡ１７では、ＨＤレコーダ２０が音声信号を再生中か否かが判断される。再生中であればＹＥＳの矢印で示すステップＳＡ１１に戻り、再生中でなければＮＯの矢印で示すステップＳＡ１９に進む。
【００９６】
ステップＳＡ１８では、音声信号の再生を中止するため、ＨＤレコーダ２０からの読出しを中止して、その中止位置のタイムコードをレジスタＣに上書きする。その後、次のステップＳＡ１９に進む。
【００９７】
ステップＳＡ１９では、ステップＳＡ１に戻る。
【００９８】
なお、上記試聴モード処理は、ＨＤレコーダ２０の再生中にも開始することが出来る。その場合には、ステップＳＡ１１で試聴するトラックが選択された後、その位置から直ぐに選択されたトラックの試聴を開始するようにしてもよい。
【００９９】
さらに、レジスタＡ及びＣに記録する位置情報はタイムコードに限らずＨＤレコーダ２０中の音声信号が記録されているアドレス等、音声信号の読出し開始位置が識別できるものならどのようなものでもよい。
【０１００】
また、本実施例では、試聴モードを終了すると自動的に試聴開始時の位置に戻るようになっているが、必ずしも自動で戻る必要はなく、ユーザが希望する場合にだけ試聴開始位置に戻るようにしてもよい。
【０１０１】
以上のように本発明の実施例によれば、ＨＤレコーダに記録された音声信号を各種効果が付与されていない生の状態で試聴することが出来る。
【０１０２】
また、本発明の実施例によれば、試聴したあとに簡単に試聴開始前の演奏位置に戻ることが出来る。
【０１０３】
さらに、本実施例によれば、ＨＤレコーダのトラックをミキサーの入力チャンネルに割り当てることなく試聴することが出来る。
【０１０４】
なお、本発明の実施例は、実施例に対応するコンピュータプログラム等をインストールした市販のコンピュータ等によって、実施させるようにしてもよい。
【０１０５】
その場合には、本実施例に対応するコンピュータプログラム等を、ＣＤ−ＲＯＭやフロッピーディスク等の、コンピュータが読み込むことが出来る記憶媒体に記憶させた状態で、ユーザに提供してもよい。
【０１０６】
その汎用コンピュータ又はコンピュータ等が、ＬＡＮ、インターネット、電話回線等の通信ネットワークに接続されている場合には、通信ネットワークを介して、コンピュータプログラムや各種データ等を汎用コンピュータ又はコンピュータ等に提供してもよい。
【０１０７】
以上実施例に沿って本発明を説明したが、本発明はこれらに制限されるものではない。例えば、種々の変更、改良、組合せ等が可能なことは当業者に自明であろう。
【０１０８】
【発明の効果】
以上のように本発明によれば、簡単な操作で各種処理が行われていない生の音声信号を試聴することができる。
【０１０９】
また、試聴終了後に試聴開始位置に簡単に戻ることが出来る。
【図面の簡単な説明】
【図１】本発明の実施例によるミキシング再生装置１の基本構成を表すブロック図である。
【図２】図１のＤＳＰ２５の機能を示すブロック図である。
【図３】図１に示すミキシング再生録音装置のフロントパネル２の例を示す概観図である。
【図４】図３に示すＦＬディスプレイ２３ｂ周辺の拡大概略図である。
【図５】本実施例の基本機能を説明するためのブロック図である。
【図６】本実施例によるミキシング再生装置のミキサー入力チャンネルの結線図である。
【図７】本実施例によるミキシング再生装置のレコーダ入力チャンネルの結線図である。
【図８】本実施例によるミキシング再生装置の出力セレクタの結線図である。
【図９】図１のＣＰＵ１６が行う試聴モード処理を表すフローチャートである。
【図１０】図１のＲＡＭ１４の記憶領域を表す概念図である。
【符号の説明】
１…ミキシング録音再生装置、２…フロントパネル、１１…バス、１２…検出回路、１３…表示回路、１４…ＲＡＭ、１５…ＲＯＭ、１６…ＣＰＵ、１７…外部記憶装置、１８…Ｉ／Ｏインターフェイス、１９…音源回路、５６…タイマ、２０…ＨＤレコーダ、２１…転送回路、２２…操作子、２３…ディスプレイ、２４…バッファメモリ、２５…ＤＳＰ、２６…入力端子、２７…出力端子、２８…拡張スロット、２９…拡張カード、３０…読出し制御部、３１…ＳＯＬＯスイッチ、３２…チャンネル選択スイッチ、３３…処理部、３４…ダイレクトアウトスイッチ、３５…出力部、３６…ＣＵＥスイッチ、３７…トラック選択スイッチ、４２…ＳＯＬＯ選択スイッチ、４４…フェーダー、４５…ナンバー・ロケート・キー、４６…ジョグシャトル、４７…カーソルキー、４８…再生キー、４９…停止キー、５２…位置指定部
【図１】
0003633459.tif 000002
【図２】
0003633459.tif 000003
【図３】
0003633459.tif 000004
【図４】
0003633459.tif 000005
【図５】
0003633459.tif 000006
【図６】
0003633459.tif 000007
【図７】
0003633459.tif 000008
【図８】
0003633459.tif 000009
【図９】
0003633459.tif 000010
【図１０】
0003633459.tif 000011